(57)【特許請求の範囲】
【請求項１】
鍔部と該鍔部の下方に位置し、前記鍔部の外径より小さな外径を有する首部とを有し、且つ、キャップが螺合された栓を有する合成樹脂製の内袋と、該内袋が保持される蓋と、内袋を収納する剛性を有する外側容器とからなる複合容器において、前記栓の首部の外径より大きく、且つ、鍔部の外径より小さい径を有するほぼ半円状の凹部が、その先端辺のほぼ中央部に形成された回動係合片と、該回動係合片の先端辺に形成された凹部に接近して、前記栓の首部の外径より大きく、且つ、鍔部の外径より小さい径を有するほぼ半円状の凹部が形成された舌片とが、前記蓋の天板に形成されているとともに、前記回動係合片に形成された凹部と前記舌片に形成された凹部とにより、前記栓の鍔部の下方に位置する首部が通過可能な孔が形成されるように構成されており、前記回動係合片を上方に回動させた後、前記回動係合片を上方に回動させることにより形成されたほぼ方形状の孔に、前記蓋の裏側から、前記内袋のキャップが螺合された栓を挿入するとともに、前記回動係合片の凹部に、前記栓の首部を挿入し、その後、前記回動係合片を下方に回動させることにより、前記栓の首部が、前記舌片の凹部と前記回動係合片の凹部とにより形成される孔に挿入されるように構成されていることを特徴とする複合容器。
【請求項２】
前記回動係合片の凹部の両側に位置する表面と裏面とに、前記回動係合片の先端辺を越えて延在する係止爪が、表面に形成された係止爪と裏面に形成された係止爪とが、互いに当接しないように、横方向にずれて配置されていることを特徴とする請求項１に記載の複合容器。
【発明の詳細な説明】
【０００１】
【発明の属する技術分野】
本発明は、液体等の内容物が出し入れ可能なキャップが螺合された栓を有する合成樹脂製の内袋と、該内袋が保持される蓋と、内袋を収納する剛性を有する外側容器とからなる複合容器に関するものである。
【０００２】
【従来の技術】
従来の外側容器に被蓋される蓋と本発明の複合容器に使用される内袋の斜視図である図３及び本発明の複合容器に使用される内袋の部分正面図である図４を用いて、従来の技術について説明する。
【０００３】
Ｈは、平面形状が方形状の外側容器に被蓋される蓋であり、天板ｈ１、天板ｈ１の周囲に形成された側壁ｈ２及び側壁ｈ２の上端から外側に水平に延びるフランジｈ３とを有しており、側壁ｈ２を外側容器に嵌合することにより、外側容器を被蓋するように構成されている。天板ｈ１には、周囲に複数の舌片ｈ４が形成された孔ｈ５が形成されている。一方、外側容器内に収容される内袋Ｂには、溶着等の適当な手段により、キャップｂ１が螺合された筒状の栓ｂ２が取着されており、また、栓ｂ２には、蓋Ｈに形成された孔ｈ５の内径より大きな外径を有する鍔部ｂ３が形成されている。鍔部ｂ３の下方に位置する首部ｂ４の外径は、蓋Ｈに形成された孔ｈ５の内径とほぼ同じに形成されている。
【０００４】
蓋Ｈに内袋Ｂを取り付けるには、蓋Ｈの裏側から、内袋Ｂのキャップｂ１が螺合された栓ｂ２を、舌片ｈ４を押し拡げるようにして、蓋Ｈに形成された孔ｈ５に挿入し、栓ｂ２に形成された鍔部ｂ３が、舌片ｈ４を越え、且つ、舌片ｈ４が、鍔部ｂ３の下方に位置する栓ｂ２の首部ｂ４に位置するまで、キャップｂ１が螺合された栓ｂ２を、蓋Ｈに形成された孔ｈ５に挿入する。このように、天板ｈ１の孔ｈ５の周囲に形成された舌片ｈ４を、栓ｂ２の鍔部ｂ３の下方に位置させて、舌片ｈ４により、栓ｂ２の鍔部ｂ３を保持して、蓋Ｈに内袋Ｂを取り付けるように構成されている。
【０００５】
【発明が解決しようとする課題】
上述した従来の複合容器においては、栓ｂ２を、舌片ｈ４を押し拡げるようにして、蓋Ｈに形成された孔ｈ５に挿入し、栓ｂ２に形成された鍔部ｂ３が、舌片ｈ４を越え、且つ、舌片ｈ４が、鍔部ｂ３の下方に位置する栓ｂ２の首部ｂ４に位置するようにして、蓋Ｈに内袋Ｂを取り付けるようにしたものであるため、鍔部ｂ３の下面ｂ３’から栓ｂ２の付け根ｂ２’までの首部ｂ４の長さを長くしなければならず、従って、栓ｂ２の高さが高くなるという問題がある。
【０００６】
また、孔ｈ５の周囲に形成された舌片ｈ４により、栓ｂ２を保持するようにしただけであるので、孔ｈ５から、簡単に、栓ｂ２が抜け、従って、蓋Ｈから内袋Ｂが外れるという問題がある。
【０００７】
更に、上述した従来の複合容器は、舌片ｈ４を押し拡げるようにして、栓ｂ２を、蓋Ｈに形成された孔ｈ５に挿入するものであるため、蓋Ｈを繰り返して使用しているうちに、舌片ｈ４が損傷するという問題がある。
【０００８】
本発明の目的は、上述したような従来の複合容器が有する課題を解決するとともに、蓋への内袋の取り付け作業の作業性の向上した複合容器を提供することにある。
【０００９】
【課題を解決するための手段】
本発明は、上述した目的を達成するために、鍔部と該鍔部の下方に位置し、前記鍔部の外径より小さな外径を有する首部とを有し、且つ、キャップが螺合された栓を有する合成樹脂製の内袋と、該内袋が保持される蓋と、内袋を収納する剛性を有する外側容器とからなる複合容器において、第１には、前記栓の首部の外径より大きく、且つ、鍔部の外径より小さい径を有するほぼ半円状の凹部が、その先端辺のほぼ中央部に形成された回動係合片と、該回動係合片の先端辺に形成された凹部に接近して、前記栓の首部の外径より大きく、且つ、鍔部の外径より小さい径を有するほぼ半円状の凹部が形成された舌片とが、前記蓋の天板に形成されているとともに、前記回動係合片に形成された凹部と前記舌片に形成された凹部とにより、前記栓の鍔部の下方に位置する首部が通過可能な孔が形成されるように構成されており、前記回動係合片を上方に回動させた後、前記回動係合片を上方に回動させることにより形成されたほぼ方形状の孔に、前記蓋の裏側から、前記内袋のキャップが螺合された栓を挿入するとともに、前記回動係合片の凹部に、前記栓の首部を挿入し、その後、前記回動係合片を下方に回動させることにより、前記栓の首部を、前記舌片の凹部と前記回動係合片の凹部とにより形成される孔に挿入するように構成したものであり、第２には、前記回動係合片の凹部の両側に位置する表面と裏面とに、前記回動係合片の先端辺を越えて延在する係止爪を、表面に形成された係止爪と裏面に形成された係止爪とが、互いに当接しないように、横方向にずれて配置したものである。
【００１０】
【実施例】
以下に、本発明の実施例について説明するが、本発明の趣旨を越えない限り何ら、本実施例に限定されるものではない。なお、本発明の複合容器においても、内袋として、図３及び図４に示されているものを使用した。また、蓋に関し、上述した従来の蓋と共通の構成部分については、同一符号を使用した。
【００１１】
上述した従来の蓋と同様に、蓋Ｈは、平面形状が方形状に形成されており、天板ｈ１、天板ｈ１の周囲に形成された側壁ｈ２及び側壁ｈ２の上端から外側に水平に延びるフランジｈ３とを有しており、側壁ｈ２を、外側容器に嵌合することにより、外側容器を被蓋するように構成されている。
【００１２】
天板ｈ１には、平面形状が略コの字状のスリットｈ６が形成されている。スリットｈ６の両端部を結ぶ線ｈ６’に沿って、天板ｈ１の裏面には、薄肉部ｈ７が形成されており、従って、スリットｈ６及び薄肉部ｈ７により囲まれた部分（以下、この部分を、「回動係合片」と称する。）ｈ８は、一種のヒンジとして機能する薄肉部ｈ７を中心に、回動可能に構成されている。そして、回動係合片ｈ８を、薄肉部ｈ７を中心に回動させた際に形成される、ほぼ方形状の孔ｈ９は、キャップｂ１が螺合された栓ｂ２が通過可能な大きさに形成されている。また、回動係合片ｈ８の先端辺ｈ８’のほぼ中央部には、内袋Ｂの鍔部ｂ３の下方に位置する栓ｂ２の首部ｂ４の外径より大きく、且つ、鍔部ｂ３の外径より小さい径を有する、ほぼ半円状の凹部ｈ１０が形成されている。更に、回動係合片ｈ８の先端辺ｈ８’の凹部ｈ１０の両側には、天板ｈ１の表面と裏面に、先端辺ｈ８’を越えて延びる係止爪ｈ１１、ｈ１１’が形成されている。天板ｈ１の表面と裏面に形成された係止爪ｈ１１、ｈ１１’は、何方か一方の係止爪ｈ１１、ｈ１１’が湾曲した際に、もう一方の係止爪ｈ１１、ｈ１１’に当接しないように、横方向にずれて配置されている。
【００１３】
天板ｈ１には、回動係合片ｈ８の先端辺ｈ８’に形成されたほぼ半円状の凹部ｈ１０に接近して、首部ｂ４の外径より大きく、且つ、鍔部ｂ３の外径より小さい径を有する、ほぼ半円状の凹部ｈ１２が形成されている。そして、該ほぼ半円状の凹部ｈ１２と、回動係合片ｈ８に形成されたほぼ半円状の凹部ｈ１０とにより、栓ｂ２の鍔部ｂ３の下方に位置する首部ｂ４が挿入可能な孔ｈ１３が形成されるように構成されている。また、上記のほぼ半円状の凹部ｈ１２の両端部からは、スリットｈ１４が延設されており、スリットｈ１４間に位置する舌片ｈ１５が弾性変形できるように構成されている。
【００１４】
蓋Ｈに内袋Ｂを取り付けるには、先ず最初に、回動係合片ｈ８を、薄肉部ｈ７を中心に上方に回動させて、キャップｂ１が螺合された栓ｂ２が通過可能な大きさを有する孔ｈ９を形成するとともに、内袋Ｂのキャップｂ１が螺合された栓ｂ２を、蓋Ｈの裏側から孔ｈ９に挿入する。次いで、図２に示されているように、回動係合片ｈ８のほぼ半円状の凹部ｈ１０に、栓ｂ２に形成された鍔部ｂ３の下方に位置する首部ｂ４を挿入し、回動係合片ｈ８に首部ｂ４を引っ掛ける。その後、回動係合片ｈ８を下方に回動させて、栓ｂ２の首部ｂ４を、舌片ｈ１５に形成された凹部ｈ１２と回動係合片ｈ８に形成された凹部ｈ１０とにより形成される孔ｈ１３に挿入する。また、回動係合片ｈ８の下方への回動にともない、回動係合片ｈ８の先端辺ｈ８’の凹部ｈ１０の両側に形成された係止爪ｈ１１、ｈ１１’が、舌片ｈ１５の先端に形成された凹部ｈ１２の両側に位置する天板ｈ１を挟持するように構成されているので、回動係合片ｈ８が、天板ｈ１に対して、簡単に移動するようなことがない。
【００１５】
上述したようにして、栓ｂ２に形成された鍔部ｂ３の下方に位置する首部ｂ４を、舌片ｈ１５の先端に形成された、ほぼ半円状の凹部ｈ１２と、回動係合片ｈ８に形成されたほぼ半円状の凹部ｈ１０とにより形成される孔ｈ１３に挿着するようにしたので、従って、内袋Ｂを、蓋Ｈに、容易に、且つ、迅速に保持することができる。なお、蓋Ｈから内袋Ｂを取り外す工程は、この逆の作業を行えばよいので、その説明は省略する。
【００１６】
上述したように、回動係合片ｈ８を上方に回動させて孔ｈ９を形成し、該孔ｈ９に、内袋Ｂのキャップｂ１が螺合された栓ｂ２を挿入するとともに、回動係合片ｈ８の凹部ｈ１０に、栓ｂ２の首部ｂ４を挿入し、その後、回動係合片ｈ８を下方に回動させて、栓ｂ２の首部ｂ４を、舌片ｈ１５に形成された凹部ｈ１２と回動係合片ｈ８に形成された凹部ｈ１０とにより形成される孔ｈ１３に挿入するように構成したので、従来の複合容器のように、鍔部ｂ３の下面ｂ３’から栓ｂ２の付け根ｂ２’までの首部ｂ４の長さを長くする必要がなく、従って、栓ｂ２の高さを低く構成することができる。
【００１７】
上述した実施例においては、蓋Ｈに内袋Ｂを取り付けるに際に、先ず最初に、回動係合片ｈ８を、薄肉部ｈ７を中心に上方に回動させて、キャップｂ１が螺合された栓ｂ２が通過可能な大きさを有する孔ｈ９を形成するとともに、内袋Ｂのキャップｂ１が螺合された栓ｂ２を、蓋Ｈの裏側から孔ｈ９に挿入し、次いで、回動係合片ｈ８のほぼ半円状の凹部ｈ１０に、栓ｂ２に形成された鍔部ｂ３の下方に位置する首部ｂ４を挿入し、回動係合片ｈ８に首部ｂ４を引っ掛け、その後、回動係合片ｈ８を下方に回動させて、栓ｂ２の首部ｂ４を、舌片ｈ１５に形成された凹部ｈ１２と回動係合片ｈ８に形成された凹部ｈ１０とにより形成される孔ｈ１３に挿入するようにした例が示されているが、回動係合片ｈ８を、薄肉部ｈ７を中心に下方に回動させて、キャップｂ１が螺合された栓ｂ２が通過可能な大きさを有する孔ｈ９を形成するとともに、内袋Ｂのキャップｂ１が螺合された栓ｂ２を、蓋Ｈの裏側から孔ｈ９に挿入し、次いで、回動係合片ｈ８のほぼ半円状の凹部ｈ１０に、栓ｂ２に形成された鍔部ｂ３の下方に位置する首部ｂ４を挿入し、回動係合片ｈ８に首部ｂ４を引っ掛け、その後、回動係合片ｈ８を上方に回動させて、栓ｂ２の首部ｂ４を、舌片ｈ１５に形成された凹部ｈ１２と回動係合片ｈ８に形成された凹部ｈ１０とにより形成される孔ｈ１３に挿入するように構成することもできる。
【００１８】
【発明の効果】
本発明は、以上説明した構成を有しているので、以下に記載する効果を奏するものである。
【００１９】
従来の複合容器のように、鍔部の下面から栓の付け根までの首部の長さを長くする必要がなく、従って、栓の高さを低く構成することがきるとともに、蓋への内袋の取り付けを迅速、且つ、確実に行うことができ、更に、蓋の耐久性が向上する。また、回動係合片と舌片により、栓を保持するようにしたので、蓋から、簡単に、内袋が外れるというようなことが防止できる。
【００２０】
回動係合片に形成された係止爪により、天板を挟持するようにしたので、回動係合片が、天板に対して、簡単に移動するようなことがなく、従って、蓋に、確実に、内袋を保持することができる。
【図面の簡単な説明】
【図１】図１は本発明の複合容器の蓋の斜視図である。
【図２】図２は本発明の複合容器の蓋の部分斜視図である。
【図３】図３は従来の外側容器に被蓋される蓋と本発明の複合容器に使用される内袋の斜視図である。
【図４】図４は本発明の複合容器に使用される内袋の部分正面図である。
【符号の説明】
Ｂ・・・・・・・・・・内袋
Ｈ・・・・・・・・・・蓋
ｂ２・・・・・・・・・栓
ｂ３・・・・・・・・・鍔部
ｈ１・・・・・・・・・天板
ｈ８・・・・・・・・・回動係合片
ｈ１０、ｈ１２・・・・凹部
【図１】
0003955139.tif 000002
【図２】
0003955139.tif 000003
【図３】
0003955139.tif 000004
【図４】
0003955139.tif 000005